(57)【要約】【課題】屋根の裏側又は上階の床の裏側に天井用吊りボルトで吊り下げられた天井の耐震性を向上させる。【解決手段】屋根の裏側又は上階の床の裏側に取り付けられる第一連結具３２と、屋根の裏側又は上階の床の裏側に取り付ける天井材を吊る天井用吊りボルト１０と、該天井材に取り付けられる第二連結具３６とを備え、天井用吊りボルト１０は、棒状の材料からなる筋材１２と、筋材１２の端部に設けられた一対のユニバーサルジョイント１４とを備え、ユニバーサルジョイント１４の一つは、第一連結具３２と連結するための第一連結部２４を備え、ユニバーサルジョイント１４の他の一つは、第二連結具３６と連結するための第二連結部３４を備え、ユニバーサルジョイント１４の一つは筋材１２の一方の端部に設けられ、ユニバーサルジョイント１４の他の一つは筋材１２の他方の端部に設けられている。【選択図】図１
2018080576.tif 000002
【特許請求の範囲】
【請求項１】
棒状の材料からなる筋材と、該筋材に設けられた一対のユニバーサルジョイントとを備え、該ユニバーサルジョイントの一つは、屋根の裏側又は上階の床の裏側に設けられた第一連結具と連結するための第一連結部を備え、該ユニバーサルジョイントの他の一つは、屋根の裏側又は上階の床の裏側に取り付ける天井材に設けられた第二連結具と連結するための第二連結部を備え、該ユニバーサルジョイントの一つは該筋材の一方の端部に設けられ、該ユニバーサルジョイントの他の一つは該筋材の他方の端部に設けられていることを特徴とする天井用吊りボルト。
【請求項２】
前記ユニバーサルジョイントが、略球状体と、該略球状体を摺動回転可能に囲繞する囲繞体とからなることを特徴とする請求項１に記載の天井用吊りボルト。
【請求項３】
屋根の裏側又は上階の床の裏側に取り付けられる第一連結具と、屋根の裏側又は上階の床の裏側に取り付ける天井材を吊る天井用吊りボルトと、該天井材に取り付けられる第二連結具とを備え、該天井用吊りボルトは、棒状の材料からなる筋材と、該筋材の端部に設けられた一対のユニバーサルジョイントとを備え、該ユニバーサルジョイントの一つは、該第一連結具と連結するための第一連結部を備え、該ユニバーサルジョイントの他の一つは、該第二連結具と連結するための第二連結部を備え、該ユニバーサルジョイントの一つは該筋材の一方の端部に設けられ、該ユニバーサルジョイントの他の一つは該筋材の他方の端部に設けられていることを特徴とする天井材取付装置。
【請求項４】
前記ユニバーサルジョイントが、略球状体と、該略球状体を摺動回転可能に囲繞する囲繞体とからなることを特徴とする請求項３に記載の天井材取付装置。
【発明の詳細な説明】
【技術分野】
【０００１】
本発明は、屋根の裏側又は上階の床の裏側に天井材を取り付ける際に使用する天井用吊りボルト及び天井材取付装置に関するものである。
【背景技術】
【０００２】
鉄骨造、鉄筋コンクリート造又は鉄骨鉄筋コンクリート造の建物の場合、天井材１００は、例えば、図５及び図６に示すように、上階の床１０２の裏側に吊りボルト１０４で吊り下げられた状態で取り付けられている。すなわち、インサート金具やナットアンカーからなる第一連結具１０６が上階の床１０２の裏側に設置され、第一連結具１０６の雌ねじに吊りボルト１０４が下方に向けて取り付けられ、吊りボルト１０４の下端に第二連結具１０８を介して多数の野縁及び野縁受け（以下、「野縁等」という）１１０が格子状に水平に取り付けられ、野縁等１１０に天井材１００が水平に取り付けられている（特許文献１参照）。
【０００３】
ところが、傾斜した屋根１１２の裏側に吊りボルト１０４が取り付けられる場合、屋根１１２の裏側に設置された第一連結具１０６の雌ねじに吊りボルト１０４を取り付けると、吊りボルト１０４は天井材１００に対して斜めになり、吊りボルト１０４の下端に取り付けられた天井材１００は斜め上方に引っ張られた状態になり、天井材１００、第一連結具１０６、第二連結具１０８及び吊りボルト１０４も斜め方向に引っ張られた不安定な状態になる。
【０００４】
このため、天井材１００を反対方向に引っ張って、この斜め方向の力を打ち消し、この不安定な状態を解消させる必要がある。しかし、そのようにすると天井材１００を吊り下げる構造が複雑になる。そこで、図７に示すように、屋根１１２の裏側に取り付けた吊りボルト１０４を、曲部１１４のところで強制的に曲げ、吊りボルト１０４を直下方向に向けさせ、天井材１００を上方にのみ引っ張り上げるようにすること等が行われている。
【０００５】
しかし、吊りボルト１０４は上階の床１０２の裏側や屋根１１２の裏側に取り付けられているものであり、吊りボルト１０４を真下に向けて強制的に曲げる作業は上階の床１０２の裏側や屋根１１２の裏側といった足場の悪い高所で作業者が人力で行わなければならず、非常に危険であり、しかもこの作業によって吊りボルト１０４、第一連結具１０６、第二連結具１０８の強度低下を招くおそれがある。
【０００６】
また、図８に示すように、上階の床の裏側にダクト等１１６が配設されている場合は、吊りボルト１０４を、ダクト等１１６を避けるように、斜め上方から斜め下方に向けて設ける等をして、この状態の吊りボルト１０４に天井材１００を吊り下げるしかない。しかし、このようにした場合は、上述した例の場合と同様、高所作業になり、非常に危険であり、しかもこの作業によって吊りボルト１０４や第一連結具１０６、第二連結具１０８の強度低下を招いたりするおそれがある。
【０００７】
また、天井材１００は上階の床１０２の裏側や屋根１１２の裏側に吊りボルト１０４によって上述したように吊り下げられているが、この吊りボルト１０４は曲げに対してかなりの強度を有しており、しかも天井材１００を吊っている吊りボルト１０４は多数本にのぼるので、天井材１００は上階の床１０２や屋根１１２と一体化した状態に近くなっており、地震時に天井材１００は上階の床１０２や屋根１１２の動きに追随して一緒に揺動し、強い地震時には天井材１００が上階の床１０２や屋根１１２の揺動に振り回され、天井材１００が吊りボルト１０４の上端部や下端部から外れて脱落する恐れがある。
【先行技術文献】
【特許文献】
【０００８】
【特許文献１】特第４２１５１６５号公報
【特許文献２】特開２００６−３２８７５２号公報
【特許文献３】特開平９−１７７２２９号公報
【特許文献４】特開２００３−１２０６１７号公報
【特許文献５】実開昭６０−２８１０４号公報
【発明の概要】
【発明が解決しようとする課題】
【０００９】
本発明が解決しようとする課題は、屋根の裏側又は上階の床の裏側に天井材を吊り下げる天井用吊りボルトの施工性を向上させるとともに、屋根の裏側又は上階の床の裏側に設置された天井の耐震性を向上させようとする点である。
【課題を解決するための手段】
【００１０】
本発明は、棒状の材料からなる筋材と、該筋材の端部又は該端部近傍に設けられた１又は２以上のユニバーサルジョイントとを備えた連結体からなり、該連結体の一方の端部には、屋根の裏側又は上階の床の裏側に設けられた第一連結具と連結するための第一連結部が設けられ、該連結体の他方の端部には、屋根又は上階の床の裏側に取り付ける天井材に設けられた第二連結具と連結するための第二連結部が設けられていることを最も主要な特徴とする天井用吊りボルトである。
【００１１】
そして、該天井用吊りボルト（連結体）と該第一連結具と該第二連結具とにより構成された天井材取付装置である。
【発明の効果】
【００１２】
本発明は、上述したように構成されているので、屋根又は上階の床と天井とが柔構造体を形成し、地震の際に、屋根又は上階の床と天井とが別々に動き、天井が屋根又は上階の床の揺れに振り回されなくなり、その結果、天井の耐震性が向上する。
【００１３】
また、本発明は、上述したように構成されているので、屋根又は上階の床の裏側に天井材を取り付ける際に、勾配やその他の事由で天井用吊りボルトを鉛直方向に取付けることができない場合でも作業者が天井用吊りボルト等を曲げる必要がなくなり、天井用吊りボルトの設置が容易になり、その結果、天井材の施工性が向上する。
【００１４】
また、本発明は、上述したように構成されているので、作業者が高所において手作業で天井用吊りボルト等を曲げるという危険な作業をしなくて済み、その結果、天井材の取付作業が安全になる。
【００１５】
また、本発明は、上述したように構成されているので、天井用吊りボルトがユニバーサルジョイントのところで自由に曲がるので、連結具と連結部に剛体結合の場合のような負荷が掛からなくなり、連結具及び連結部が破損し難くなり、地震の際に破断・落下等の事故が起き難くなる。
【００１６】
また、本発明は、上述したように構成されているので、既設の吊り金具、既設の床スラブに穿った「ねじ穴」にも天井用吊りボルトを連結できるので、新設の傾斜屋根等に限らず、既設の屋根又は既設の床の裏側の天井に対応することができる。
【００１７】
また、本発明は、上述したように構成されているので、耐震天井用のブレース部材(斜め補強材、振れ止め)は通常、吊りボルト位置にのみ設置が可能だが、本発明によりこれを上階の床の裏側任意の位置に直接取り付けることも可能となる。
【図面の簡単な説明】
【００１８】
【図１】図１は本発明の第一実施例に係る天井材取付装置を示す説明図である。
【図２】図２は本発明の第一実施例の要部を拡大した説明図である。
【図３】図３は第二実施例に係る天井材取付装置の説明図である。
【図４】図４は第三実施例に係る天井材取付装置の説明図である。
【図５】図５は従来の天井の吊り構造を示す説明図である。
【図６】図６は従来の天井の吊り構造の要部を拡大した説明図である。
【図７】図７は傾斜した屋根の裏に取り付けた天井用吊りボルトを垂直に曲げて天井を吊した状態を示す説明図である。
【図８】図８は天井用吊りボルトをダクト等を避けて取り付ける様子を示す説明図である。
【発明を実施するための形態】
【００１９】
天井用吊りボルトの施工性を向上させるとともに天井の耐震性を向上させるという目的を、最小の構成部材で、天井用吊りボルトの機能を損なわずに実現した。
【実施例１】
【００２０】
図１は本発明の第一実施例に係る天井材取付装置を示す説明図、図２は本発明の第一実施例の要部を拡大した説明図である。天井材取付装置は、天井用吊りボルト（連結体）１０と第一連結具３２と第二連結具３６とにより構成される。さらに、これらの図において、１０は本発明に係る天井用吊りボルトであり、天井用吊りボルト１０は棒状の金属材料からなる筋材１２と、筋材１２の一方の端部（図２の上端部）に連結されたユニバーサルジョイント１４とからなる。
【００２１】
筋材１２の一方の端部（図２の上端部）には中間連結部１６が形成されている。中間連結部１６は雄ねじを形成している。ユニバーサルジョイント１４は、略球状体１８と、略球状体１８を摺動回転可能に囲繞する囲繞体２０とからなる。
【００２２】
略球状体１８の一方の側（図２の下方の側）には囲繞体２０に囲繞されていない部位があり、この部位には連結孔２２が形成され、連結孔２２の内側には雌ねじが形成されている。連結孔２２には筋材１２の中間連結部１６が螺合・連結されている。囲繞体２０の背部（図２の上方部）には第一連結部２４が設けられている。第一連結部２４は棒状の金属材料からなり、少なくとも先端部には雄ねじが形成されている。
【００２３】
２６は上階の床であり、上階の床２６はデッキプレート２８の上にコンクリート３０を打設したものからなる。上階の床２６は水平に設けられている。上階の床２６の裏側には第一連結具３２がデッキプレート２８を貫通してコンクリート３０内に埋込・設置されている。第一連結具３２としてはナットアンカーが使用されている。第一連結具３２の中心の雌ねじにはユニバーサルジョイント１４の背部の第一連結部２４が螺合・連結されている。
【００２４】
筋材１２の他方の端部には第二連結部３４が形成されている。第二連結部３４は雄ねじからなる。第二連結部３４には第二連結具３６を介して多数の野縁等３８が格子状に水平に取り付けられ、野縁等３８には天井材４０が水平に取り付けられ、野縁等３８と天井材４０によって天井４２が形成されている。
【００２５】
図３は本発明の第二実施例に係る天井材取付装置の説明図である。この例は上階が勾配を有する屋根４４からなる例であり、ナットアンカーからなる第一連結具３２は屋根４４の裏側に直角に埋込・設置され、第一連結具３２にはユニバーサルジョイント１４の背部の第一連結部２４が螺合・連結されている。天井用吊りボルト１０はユニバーサルジョイント１４のところで折れ曲がり、筋材１２は鉛直に垂れ下がっている。
【００２６】
図４は本発明の第三実施例に係る天井材取付装置の説明図である。この例は上階が勾配を有する屋根４６であって、屋根４６はデッキプレート２８にコンクリート３０を打設して形成されたものからなる例である。この例は、第一連結具３２としてハンガー金具（２枚の板状横架材を使用した金具）が使用されている点が第二実施例と相違している。
【００２７】
ハンガー金具からなる第一連結具３２はデッキプレート２８の裏側の溝条の内側に嵌め込まれた状態でデッキプレート２８に取り付けられている。第一連結具３２の中央部には雌ねじが形成され、雌ねじにはユニバーサルジョイント１４の第一連結部２４が螺合・連結している。この例でも天井用吊りボルト１０はユニバーサルジョイント１４のところで折れ曲がり、筋材１２は鉛直に垂れ下がっている。
【００２８】
なお、ユニバーサルジョイント１４の第一連結部２４は、図示をしないが、ねじ部のある長棒材（長ねじ）を使用しても良い。また、ユニバーサルジョイント１４は、図示をしないが、直列に２以上連結してより自在性能を上げても良い。
【００２９】
次に、本発明に係る天井材取付装置の施工方法について説明する。
【００３０】
まず、第一実施例の場合、上階の床２６への施工方法は、デッキプレート２８の谷部の所定位置に予めドリル等で孔を開けて、そこに第一連結具３２（インサート）を挿入してハンマー等で叩いてインサートをデッキプレート２８にしっかり固定する。それから、コンクリート３０を打設して硬化させて一体化した第一連結具３２を構成する（特許文献１の図５参照）。
【００３１】
又は、上階の床２６の施工後に孔を開け、この孔にナットアンカーなる第一連結具３２を打ち込み設置する。
【００３２】
第二実施例の場合、屋根４４の裏側又は床２６の上面は水平だが下面が傾斜しているところに予め第一連結具３２を取り付けておくか、既設又は施工後に屋根４４の裏側又は床２６の下面に孔を開け、この孔に第一連結具３２（ナットアンカー：特許文献３の図２参照）を打ち込み設置する。
【００３３】
第三実施例の場合は、屋根４６の裏側のデッキプレート２８の溝条の内側にハンガー金具からなる第一連結具３２を嵌め込むようにして取り付ける。
【００３４】
次に、第一実施例及び第二実施例の場合は、上階の床２６又は屋根４４，４６の裏側に設置した第一連結具３２に天井用吊りボルト１０の一方の端部、すなわちユニバーサルジョイント１４の第一連結部２４をねじ込んで、第一連結具３２に第一連結部２４を連結する。
【００３５】
第三実施例の場合は、第一連結部２４の先端部がデッキプレート２８の底に当接した後、更に第一連結部２４をねじ込むことによって第一連結具３２を引っ張って広がらせ、第一連結具３２の両端部をデッキプレート２８の底部に形性した溝の内側に突っ張らせて強固に固定する。
【００３６】
次に、天井用吊りボルト１０の他方の端部、すなわち第二連結部３４に第二連結具３６を介して多数の野縁等３８を格子状に水平に取り付け、野縁等３８に天井材４０を水平に取り付け、天井４２を形成する。
【００３７】
ここで、天井用吊りボルト１０はユニバーサルジョイント１４のところで折れ曲がり、筋材１２は鉛直に垂れ下がるので、上階の床２６又は屋根４４，４６が傾斜していても、作業者が天井用吊りボルト１０を人力で折り曲げる必要はない。
【００３８】
次に、本発明に係る天井材取付装置によって取り付けられた天井の地震時における動きについて説明する。
【００３９】
上階の床２６又は屋根４４，４６と天井４２は、ユニバーサルジョイント１４を介して天井用吊りボルト１０によって繋がっているが、天井用吊りボルト１０はユニバーサルジョイント１４の所で自由に折れ曲がることができるので、上階の床２６又は屋根４４，４６と天井４２は水平方向に相互に独立して揺れることができる。
【００４０】
地震時に上階の床２６又は屋根４４，４６が横方向に強く揺れた場合、天井４２は上階の床２６又は屋根４４，４６の強い揺れに振り回され難くなり、第一連結具３２や第二連結具３６は破損し難くなり、天井４２の耐震性が高まり、従って、地震時に天井４２が落下するような事態が生じ難くなる。
【００４１】
即ち、特許文献２〜５のように一方向の揺れだけでなく、全方向の揺れにもフレキシブルに追従して吊りボルト１０が破損して脱落する可能性が低くなる有効な構造である。
【符号の説明】
【００４２】
１０  天井用吊りボルト（連結体）
１２  筋材
１４  ユニバーサルジョイント
１６  中間連結部
１８  略球状体
２０  囲繞体
２２  連結孔
２４  第一連結部
２６  上階の床
２８  デッキプレート
３０  コンクリート
３２  第一連結具
３４  第二連結部
３６  第二連結具
３８  野縁等
４０  天井材
４２  天井
４４，４６  屋根
【図１】
2018080576.tif 000003
【図２】
2018080576.tif 000004
【図３】
2018080576.tif 000005
【図４】
2018080576.tif 000006
【図５】
2018080576.tif 000007
【図６】
2018080576.tif 000008
【図７】
2018080576.tif 000009
【図８】
2018080576.tif 000010